(57)【要約】【課題】原稿の読み取りラインを照射する発光効率が優れ立体原稿の読み取りでの影と光量むらの発生を防止して高品質の画像を読み取り画像を形成する低コストの原稿画像読取装置、及び、その原稿画像読取装置を具備する画像形成装置を提供する。【解決手段】読み取る原稿を載置する透明材質からなる原稿載置部材１と、上記原稿載置部材１上に載置された原稿Ｏを走査して画像データを読み取る原稿画像読み取り手段２と、上記原稿画像読み取り手段２が原稿Ｏの画像データの読み取り時に原稿Ｏの読み取りライン３を上記原稿載置部材１の下方から照明する対向反射板４と、上記対向反射板４の方向に向けた指向性を有する照明光と直接に原稿Ｏの上記読み取りライン３の方向に向けた指向性を有する照明光で照明する原稿照明光源５とからなる。【選択図】        図１
2005027082.tif 000002
【特許請求の範囲】
【請求項１】
載置される原稿の画像データを載置面側から読み取る原稿画像読取装置において、原稿を載置する透明材質からなる原稿載置部材と、上記原稿載置部材上に載置された原稿を走査して画像データを読み取る原稿画像読み取り手段と、上記原稿画像読み取り手段が原稿の画像データの読み取り時に原稿の読み取りラインを上記原稿載置部材の下方から照明する対向反射板と、上記対向反射板の方向に向けた指向性を有する照明光と直接に原稿の上記読み取りラインの方向に向けた指向性を有する照明光で照明する原稿照明光源とからなることを特徴とする原稿画像読取装置。
【請求項２】
請求項１に記載の原稿画像読取装置において、原稿照明光源は、原稿の読み取りラインの方向に沿って２列又は複数列に並べた複数個のＬＥＤ素子からなることを特徴とする原稿画像読取装置。
【請求項３】
請求項２に記載の原稿画像読取装置において、複数個のＬＥＤ素子を２列又は複数列に並べたＬＥＤ素子列は、直接に原稿の読み取りラインの方向に向けて照明するようにＬＥＤ素子を配列した原稿読取ライン列と、残りのＬＥＤ素子を対向反射板の方向に向けて照明するように配列した対向反射板列とからなることを特徴とする原稿画像読取装置。
【請求項４】
請求項３に記載の原稿画像読取装置において、原稿読取ライン列は、複数個のＬＥＤ素子を半ピッチずらした千鳥状に配列した構成を備えていることを特徴とする原稿画像読取装置。
【請求項５】
請求項３又は４に記載の原稿画像読取装置において、対向反射板列は、複数個のＬＥＤ素子を半ピッチずらした千鳥状に配列したことを特徴とする原稿画像読取装置。
【請求項６】
請求項４又は５に記載の原稿画像読取装置において、原稿読取ライン列は、偶数列からなることを特徴とする原稿画像読取装置。
【請求項７】
請求項４、５又は６に記載の原稿画像読取装置において、対向反射板列は、偶数列からなることを特徴とする原稿画像読取装置。
【請求項８】
請求項３、４、５、６又は７に記載の原稿画像読取装置において、原稿読取ライン列の列数よりも、対向反射板列の列数が多いことを特徴とする原稿画像読取装置。
【請求項９】
原稿から読み取った画像データによって画像を形成する画像形成装置において、原稿から画像データを読み取る上記請求項１乃至８の何れか一項に記載の原稿画像読取装置と、上記原稿画像読取装置の読み取る画像データによって画像を形成する画像形成部とからなることを特徴とする画像形成装置。
【請求項１０】
請求項９に記載の画像形成装置において、画像形成部は、電子写真方法でトナー画像を形成することを特徴とする画像形成装置。
【発明の詳細な説明】
【０００１】
【発明の属する技術分野】
本発明は、原稿画像読取装置、及び、その原稿画像読取装置を具備する画像形成装置に関し、詳しくは、載置された原稿の画像データを載置面側から読み取る原稿画像読取装置、及び、その原稿画像読取装置を具備する原稿から読み取った画像データによって画像を形成する印刷機や電子写真方法でトナー画像を形成する複写機、ファクシミリ装置、プリンタあるいはこれらの複合機等の画像形成装置に関する。
【０００２】
【従来の技術】
従来の原稿画像読取装置、及び、その原稿画像読取装置を具備する画像形成装置においては、原稿を照明する光源に、ハロゲンランプ、蛍光灯、キセノンランプ等が使用されている。
キセノンランプ等の光源から、原稿の読み取りラインを照明すると共に、対向反射板によっても原稿の読み取りラインを照明して原稿画像を読み取ることは公知である（特開平７−３１１３６０号、特開２０００−１０２１４等の公報を参照）。
昨今、環境負荷の軽減化が行われているが、これらの光源のランプは、いずれも、フイラメント発光や放電発光を原理としているために、発光効率に限界があり、新しいタイプの長尺光源が求められている。
【０００３】
これに対して、複数のＬＥＤを列に並べて長尺光源として、この長尺光源の複数のＬＥＤから照射された光を、原稿の読み取りラインを照明すると共に、対向する反射光学部材においても反射させて原稿の読み取りラインを照明して原稿画像を読み取ることも公知である（特開平９−６１７４５号等の公報を参照）。
このような複数からなるＬＥＤの列と対向する反射光学部材の構成では、ＬＥＤをレンズ形状のプラスチック等で封止しており、照射光の指向性が強いため、ＬＥＤの照射光を原稿の読み取りラインに向けてしまうと、対向する反射光学部材に照射光が行かず、片側照明となって、立体原稿で影が発生する異常画像の読み取りとなっていた。
【０００４】
そこで、原稿の読み取りラインを、２つの光源で、２方向から照射することも公知である（特開平５−１４６０３号等の公報を参照）。
このように、２つの光源で照明すると、発光素子のＬＥＤを実装する基板ごと、２つの光源が必要となり、コスト高になっていた。
更に、ＬＥＤを並べて配列した光源は、形態として点光源を並べて配列しただけになるので、長手方向に一定した光量が得られず、ＬＥＤを並べて配列したピッチに対応した光量むらとなっていた。
従って、従来の原稿画像読取装置、及び、その原稿画像読取装置を具備する画像形成装置においては、原稿の読み取りラインを照射する光源は、発光効率に限界があり、立体原稿の読み取りで影が発生して画像品質が低下して、コスト高で光量むらになると言う不具合が生じていた。
【特許文献１】特開平７−３１１３６０号公報
【特許文献２】特開２０００−１０２１４公報
【特許文献３】特開平９−６１７４５号公報
【特許文献４】特開平５−１４６０３号公報
【０００５】
【発明が解決しようとする課題】
従来の原稿画像読取装置、及び、その原稿画像読取装置を具備する画像形成装置においては、原稿の読み取りラインを照射する光源は、発光効率に限界があり、立体原稿の読み取りで影が発生して画像品質が低下して、コスト高で光量むらになると言う問題が発生していた。
そこで本発明の課題は、このような問題点を解決するものである。即ち、原稿の読み取りラインを照射する発光効率が優れ立体原稿の読み取りでの影と光量むらの発生を防止して高品質の画像を読み取り画像を形成する低コストの原稿画像読取装置、及び、その原稿画像読取装置を具備する画像形成装置を提供することを目的とする。
【０００６】
【課題を解決するための手段】
上記目的を達成するために、請求項１の本発明は、載置される原稿を載置面側から原稿の画像データを読み取る原稿画像読取装置において、読み取る原稿を載置する透明材質からなる原稿載置部材と、上記原稿載置部材上に載置された原稿を走査して画像データを読み取る原稿画像読み取り手段と、上記原稿画像読み取り手段が原稿の画像データの読み取り時に原稿の読み取りラインを上記原稿載置部材の下方から照明する対向反射板と、上記対向反射板の方向に向けた指向性を有する照明光と直接に原稿の上記読み取りラインの方向に向けた指向性を有する照明光で照明する原稿照明光源とからなる原稿画像読取装置であることを最も主要な特徴とする。
請求項２の本発明は、請求項１に記載の原稿画像読取装置において、原稿照明光源は、原稿の読み取りラインの方向に沿って２列又は複数列に並べた複数個のＬＥＤ素子からなる原稿画像読取装置であることを主要な特徴とする。
【０００７】
請求項３の本発明は、請求項２に記載の原稿画像読取装置において、複数個のＬＥＤ素子を２列又は複数列に並べたＬＥＤ素子列は、直接に原稿の読み取りラインの方向に向けて照明するように配列した原稿読取ライン列と、残りを対向反射板の方向に向けて照明するように配列した対向反射板列とからなる原稿画像読取装置であることを主要な特徴とする。
請求項４の本発明は、請求項３に記載の原稿画像読取装置において、原稿読取ライン列は、複数個のＬＥＤ素子を半ピッチずらした千鳥状に配列した原稿画像読取装置であることを主要な特徴とする。
請求項５の本発明は、請求項３又は４に記載の原稿画像読取装置において、対向反射板列は、複数個のＬＥＤ素子を半ピッチずらした千鳥状に配列した原稿画像読取装置であることを主要な特徴とする。
請求項６の本発明は、請求項４又は５に記載の原稿画像読取装置において、原稿読取ライン列は、偶数列からなる原稿画像読取装置であることを主要な特徴とする。
【０００８】
請求項７の本発明は、請求項４、５又は６に記載の原稿画像読取装置において、対向反射板列は、偶数列からなる原稿画像読取装置であることを主要な特徴とする。
請求項８の本発明は、請求項３、４、５、６又は７に記載の原稿画像読取装置において、原稿読取ライン列の列数よりも、対向反射板列の列数が多い原稿画像読取装置であることを主要な特徴とする。
請求項９の本発明は、原稿から読み取った画像データによって画像を形成する画像形成装置において、原稿から画像データを読み取る上記請求項１乃至８の何れか一項に記載の原稿画像読取装置と、上記原稿画像読取装置の読み取る画像データによって画像を形成する画像形成部とからなる画像形成装置であることを最も主要な特徴とする。
請求項１０の本発明は、請求項９に記載の画像形成装置において、画像形成部は、電子写真方法でトナー画像を形成する画像形成装置であることを主要な特徴とする。
【０００９】
【発明の実施の形態】
次に、本発明の実施の形態は、図面を参照して詳細に説明する。
図１と２図において、載置される原稿の画像データを載置面側から読み取る原稿画像読取装置０は、読み取る原稿（Ｏ）を載置する透明材質からなる原稿載置部材１のコンタクトガラスと、上記原稿載置部材１のコンタクトガラス上に載置された原稿（Ｏ）を走査して画像データを読み取る原稿画像読み取り手段２と、上記原稿画像読み取り手段２が原稿（Ｏ）の画像データの読み取り時に原稿（Ｏ）の読み取りライン３を上記原稿載置部材１のコンタクトガラスの下方から照明する対向反射板４と、上記対向反射板４の方向に向けた指向性を有する照明光と直接に原稿（Ｏ）の上記読み取りライン３の方向に向けた指向性を有する照明光で照明する原稿（Ｏ）の上記読み取りライン３の方向に沿って２列、又は、複数列に並べた複数個のＬＥＤ素子５ａ（原稿照明光源５）とからなり、原稿（Ｏ）の上記読み取りライン３を照射する発光効率が優れ立体原稿の読み取りでの影の発生を防止して高品質の画像を読み取り低コストである。
【００１０】
上記原稿画像読み取り手段２は、上記対向反射板４や上記原稿照明光源５の上記ＬＥＤ素子５ａ等と共に第１ミラー２ａ１を搭載して図示の矢印（Ａ）方向に走査移動する第１走行体２ａと、第２ミラー２ｂ１と第３ミラー２ｂ２を搭載して図示の矢印（Ｂ）方向に上記第１走行体２ａの１／２の速度で走査移動する第２走行体２ｂと、レンズ２ｃ、受光素子２ｄのＣＣＤ等からなり、自動原稿供給装置（ＡＤＦ）２ｅ等で搬送されて上記原稿載置部材１のコンタクトガラスに載置されて上記原稿照明光源５の上記ＬＥＤ素子５ａで照射される原稿（Ｏ）の画像データの読み取りを行うようになっている。
上記ＬＥＤ素子５ａは、ＬＥＤチップ５ａ１から放射状に発光するが、レンズ形状を持った封止プラスチックのレンズ形状部５ａ２により、発散角を絞った光束５ｂを出射して、指向性も強くなっている（図２を参照）。
尚、上記ＬＥＤチップ５ａ１から放射状に発光する指向性を弱くすると、光量の低下を招くために、一般的には、好ましくない。
【００１１】
図３と図４において、上記原稿照明光源５の複数個の上記ＬＥＤ素子５ａを２列に並べた直接に原稿（Ｏ）の上記読み取りライン３の方向に向けて照明するように配列した原稿読取ライン列６ａ（ＬＥＤ素子列６）と、残りを上記対向反射板４の方向に向けて照明するように配列した対向反射板列６ｂは、ガラスエポキシ基板などの配列基板５ｃに並べ、上記配列基板５ｃ上に複数個の上記ＬＥＤ素子５ａや図示しない周辺電気素子の通電パターン等が形成されている。
上記原稿読取ライン列６ａは直接に原稿（Ｏ）の上記読み取りライン３の方向に向けて照明し、上記対向反射板列６ｂは上記対向反射板４の方向に向けて照明する構成となっている。
従って、１個の上記原稿照明光源５で両側照明が得られて、原稿（Ｏ）の上記読み取りライン３を照射する発光効率が優れ、立体原稿の読み取りでの影の発生を防止して高品質の画像を読み取り低コストである上記原稿画像読取装置０を提供することが出来るようになった。
【００１２】
図５において、上記原稿読取ライン列６ａは、複数個の上記ＬＥＤ素子５ａを半ピッチ（１／２＊ｐ）ずらした千鳥状に配列した構成となっており、上記ＬＥＤ素子５ａの照射ピッチを細かくして重なり部を設けているので、上記ＬＥＤ素子５ａ間の光量低下の光量むらが細かく小さくなっている。
更に、上記対向反射板列６ｂも、複数個の上記ＬＥＤ素子５ａを半ピッチ（１／２＊ｐ）ずらした千鳥状に配列した構成となっており、上記ＬＥＤ素子５ａの照射ピッチを細かくして重なり部を設けているので、上記ＬＥＤ素子５ａ間の光量低下の光量むらが細かく小さくなっている。
【００１３】
図６において、上記原稿読取ライン列６ａは、図示のように千鳥状に配列した原稿読取ライン列６ａ１と原稿読取ライン列６ａ２のように、図示しないが上記原稿読取ライン列６ａ１、上記原稿読取ライン列６ａ２、原稿読取ライン列６ａ３、原稿読取ライン列６ａ４、・・・・・・、２＊ｎ列となるように偶数列に配列した構成となっており、上記ＬＥＤ素子５ａ間の光量低下の光量むらが、更に、細かく小さくなっている。
更に、上記原稿読取ライン列６ｂは、図示のように千鳥状に配列した原稿読取ライン列６ｂ１と原稿読取ライン列６ｂ２のように、図示しないが上記原稿読取ライン列６ｂ１、上記原稿読取ライン列６ｂ２、原稿読取ライン列６ｂ３、原稿読取ライン列６４４、・・・・・・、２＊ｎ列となるように偶数列に配列した構成となっており、上記ＬＥＤ素子５ａ間の光量低下の光量むらが、更に、小さくなっている。
奇数列に配列した構成にすると、千鳥状に配列した構成の場合のどちらかのピッチ列の光量が多くなり、光量むらを招くために、好ましくない。
【００１４】
図７において、一般的には、上記対向反射板列６ｂの上記対向反射板４の反射光は、上記読取ライン３に向かう上記原稿読取ライン列６ａの直接光の長さに比較して距離が遠くなるため、光量が少なくなる。
上記原稿画像読取装置０においては、図示のように、上記原稿読取ライン列６ａの千鳥状に配列した上記原稿読取ライン列６ａ１と上記原稿読取ライン列６ａ２の列数よりも、上記対向反射板列６ｂの上記原稿読取ライン列６ｂ１、上記原稿読取ライン列６ｂ２、上記原稿読取ライン列６ｂ３、上記原稿読取ライン列６ｂ４の列数が多い構成（６ａ＜６ｂ）となっている。
従って、上記原稿読取ライン列６ａの直接光と上記対向反射板列６ｂの反射光の光量バランスをとって立体原稿での影の発生を、更に、確実に防止するようになっている。
【００１５】
図８において、原稿から読み取った画像データによって画像を形成する画像形成装置１０は、原稿（Ｏ）から画像データを読み取る上記請求項１乃至８の何れか一項に記載の上記原稿画像読取装置０と、上記原稿画像読取装置０の読み取る画像データによって画像を形成する画像形成部１１とからなり、原稿（Ｏ）の上記読み取りライン３を照射する発光効率が優れ立体原稿の読み取りでの影と光量むらの発生を防止して高品質の画像を読み取り画像を形成して低コストである。上記画像形成装置１０の複写機は、上部には、原稿（０）の画像データを読み取る上記原稿画像読取装置０が配置されている。
他方、下部には、上記画像形成部１１を載置して被転写体（Ｐ）の転写用紙を供給する被転写体供給装置１２が配置されている。
上記原稿画像読取装置０の上記原稿画像読み取り手段２の上記受光素子２ｄのＣＣＤで、原稿（０）の原稿画像の画像データを読み取る。
その画像データでトナー画像を形成する電子写真方法による、潜像形成手段１１ｃのレーザーダイオードを発光させることにより、帯電手段１１ｂで均一に帯電された像担持体１１ａのドラム形状の感光体ドラム上に静電潜像を形成する。
【００１６】
上記潜像形成手段１１ｃのレーザーダイオードを発光させて形成した静電潜像を現像手段１１ｄで顕像化してトナー画像を形成する。
上記現像手段１１ｄで顕像化したトナー画像は、転写手段１１ｅで、上記被転写体供給装置１２から搬送されて来る被転写体（Ｐ）の転写用紙に転写される。上記転写手段１１ｅで被転写体（Ｐ）の転写用紙に転写されたトナー画像は、定着手段１１ｆにて加熱と加圧後に、排紙ローラ１１ｇによりトナー画像が形成された被転写体（Ｐ）の転写用紙を排紙トレイ１１ｈへ送り出して収納されるようになっている。
他方、上記像担持体１１ａのドラム形状の感光体ドラムは、上記被転写体（Ｐ）の転写用紙にトナー画像を転写した後に、表面に付着した残留トナーを、クリーニング装置１１ｉによって掻き落とされてクリーニングされて、次工程の画像形成に備えるようになっている。
従って、原稿（Ｏ）の上記読み取りライン３を照射する発光効率が優れ立体原稿の読み取りでの影と光量むらの発生を防止して高品質の画像を読み取り、高品質の画像を形成する低コストの上記原稿画像読取装置０を具備する上記画像形成装置１０を提供することが出来るようになった。
【００１７】
【発明の効果】
本発明は、以上説明したように構成されているので、請求項１の発明によれば、原稿の読み取りラインを照射する発光効率が優れ立体原稿の読み取りでの影の発生を防止して高品質の画像を読み取り低コストである原稿画像読取装置を提供することが出来るようになった。
請求項２の発明によれば、原稿の読み取りラインの方向に沿って２列又は複数列に並べた複数個のＬＥＤ素子からなる原稿照明光源によって、原稿の読み取りラインを照射する発光効率が優れ立体原稿の読み取りでの影の発生を防止して高品質の画像を読み取り低コストである原稿画像読取装置を提供することが出来るようになった。
請求項３の発明によれば、原稿の読み取りラインの方向に沿って２列又は複数列に並べた複数個のＬＥＤ素子からなる原稿読取ライン列と対向反射板列の原稿照明光源によって、原稿の読み取りラインを照射する発光効率が優れ立体原稿の読み取りでの影の発生を防止して高品質の画像を読み取り低コストである原稿画像読取装置を提供することが出来るようになった。
【００１８】
請求項４の発明によれば、原稿の読み取りラインの方向に沿って２列又は複数列に並べた複数個のＬＥＤ素子からなる原稿読取ライン列と対向反射板列の原稿照明光源によって、原稿の読み取りラインを照射する発光効率が優れ立体原稿の読み取りでの影の発生と原稿読取ライン列の光量むらを細かく小さく防止して高品質の画像を読み取り低コストである原稿画像読取装置を提供することが出来るようになった。
請求項５の発明によれば、原稿の読み取りラインの方向に沿って２列又は複数列に並べた複数個のＬＥＤ素子からなる原稿読取ライン列と対向反射板列の原稿照明光源によって、原稿の読み取りラインを照射する発光効率が優れ立体原稿の読み取りでの影の発生と対向反射板列の光量むらを細かく小さく防止して高品質の画像を読み取り低コストである原稿画像読取装置を提供することが出来るようになった。
【００１９】
請求項６の発明によれば、原稿の読み取りラインの方向に沿って２列又は複数列に並べた複数個のＬＥＤ素子からなる原稿読取ライン列と対向反射板列の原稿照明光源によって、原稿の読み取りラインを照射する発光効率が優れ立体原稿の読み取りでの影の発生と原稿読取ライン列の光量むらを、更に、細かく小さく防止して高品質の画像を読み取り低コストである原稿画像読取装置を提供することが出来るようになった。
請求項７の発明によれば、原稿の読み取りラインの方向に沿って２列又は複数列に並べた複数個のＬＥＤ素子からなる原稿読取ライン列と対向反射板列の原稿照明光源によって、原稿の読み取りラインを照射する発光効率が優れ立体原稿の読み取りでの影の発生と対向反射板列の光量むらを、更に、細かく小さく防止して高品質の画像を読み取り低コストである原稿画像読取装置を提供することが出来るようになった。
【００２０】
請求項８の発明によれば、原稿の読み取りラインの方向に沿って２列又は複数列に並べた複数個のＬＥＤ素子からなる原稿読取ライン列と対向反射板列の原稿照明光源によって、原稿の読み取りラインを照射する発光効率が優れ立体原稿の読み取りでの影の発生を、更に、確実に防止して高品質の画像を読み取り低コストである原稿画像読取装置を提供することが出来るようになった。
請求項９の発明によれば、原稿の読み取りラインを照射する発光効率が優れ立体原稿の読み取りでの影と光量むらの発生を防止して高品質の画像を読み取り画像を形成して低コストの原稿画像読取装置を具備する画像形成装置を提供することが出来るようになった。
請求項１０の発明によれば、原稿の読み取りラインを照射する発光効率が優れ立体原稿の読み取りでの影と光量むらの発生を防止して高品質の画像を読み取り、高品質の画像を形成する低コストの原稿画像読取装置を具備する画像形成装置を提供することが出来るようになった。
【図面の簡単な説明】
【図１】本発明の実施の形態例を示す原稿画像読取装置を説明する説明図。
【図２】本発明の実施の形態例を示す原稿画像読取装置の主要部を説明する説明図。
【図３】本発明の実施の形態例を示す原稿画像読取装置の他の主要部を説明する拡大図。
【図４】本発明の実施の形態例を示す原稿画像読取装置の他の主要部を説明する斜視図。
【図５】本発明の実施の形態例を示す原稿画像読取装置の他の主要部を説明する斜視図。
【図６】本発明の実施の形態例を示す原稿画像読取装置の他の主要部を説明する斜視図。
【図７】本発明の実施の形態例を示す原稿画像読取装置の他の主要部を説明する斜視図。
【図８】本発明の実施の形態例を示す原稿画像読取装置を具備する画像形成装置を説明する説明図。
【符号の説明】
０  原稿画像読取装置
１  原稿載置部材
２  原稿画像読み取り手段、
２ａ  第１走行体、
２ａ１  第１ミラー、
２ｂ  第２走行体、
２ｂ１  第２ミラー、
２ｂ２  第３ミラー、
２ｃ  レンズ、
２ｄ  受光素子
２ｅ  自動原稿供給装置（ＡＤＦ）
３  読み取りライン
４  対向反射板
５  原稿照明光源
５ａ  ＬＥＤ素子、
５ａ１  ＬＥＤチップ、
５ａ２  レンズ形状部、
５ｂ  光束
５ｃ  配列基板
６  ＬＥＤ素子列
６ａ  原稿読取ライン列、
６ａ１  原稿読取ライン列、
６ａ２  原稿読取ライン列、
６ａ３  原稿読取ライン列、
６ａ４  原稿読取ライン列、
６ｂ  対向反射板列、
６ｂ１  原稿読取ライン列、
６ｂ２  原稿読取ライン列、
６ｂ３  原稿読取ライン列、
６ｂ４  原稿読取ライン列
１０  画像形成装置
１１  画像形成部、
１１ａ  像担持体、
１１ｂ  帯電手段、
１１ｃ  潜像形成手段、
１１ｄ  現像手段、
１１ｅ  転写手段、
１１ｆ  定着手段、
１１ｇ  排紙ローラ、
１１ｈ  排紙トレイ、
１１ｉ  クリーニング装置
１２  被転写体供給装置
【図１】
2005027082.tif 000003
【図２】
2005027082.tif 000004
【図３】
2005027082.tif 000005
【図４】
2005027082.tif 000006
【図５】
2005027082.tif 000007
【図６】
2005027082.tif 000008
【図７】
2005027082.tif 000009
【図８】
2005027082.tif 000010